(57)【特許請求の範囲】
【請求項１】
連結するフェンス体の端部間に介在させる本体に、この連結するフェンス体の両端部の表裏いずれか一側面にこの端部間に架設状態で当接係止する係止部を設け、この本体に、連結するフェンス体の端部間に挿通してフェンス体の前記一側面側から他側面側に突出せしめられると共に、このフェンス体の他側面側に配した棒材を支承保持可能な棒材支承部を設け、この棒材支承部に支承する棒材と、前記係止部とで連結するフェンス体の両端部表裏面を挟持圧接固定し得るように構成したことを特徴とするフェンス連結具。
【請求項２】
連結するフェンス体の端部間に介在するものであって、この連結するフェンス体の両端部の表裏いずれか一側面にこの端部間に架設状態で当接係止する係止部と，この連結するフェンス体の端部間に挿通してフェンス体の前記一側面側から他側面側に突出せしめられ，このフェンス体の他側面側に配した棒材を支承保持可能な棒材支承部とを備えた本体と、前記棒材支承部に支承された棒材とフェンス体の他側面との間の間隙に圧入することで棒材とフェンス体の他側面とに圧接係止して夫々のフェンス体の両端部一側面を前記係止部に圧接係止せしめる圧入部材とから成り、前記間隙に前記圧入部材を圧入すると、この圧入部材が棒材とフェンス体の他側面とに圧接係止して、連結するフェンス体の両端部表裏面をこの圧入部材と前記係止部とで挟持圧接固定するように構成したことを特徴とするフェンス連結具。
【請求項３】
前記圧入部材は楔形を呈する構成として、この楔形の圧入部材を前記棒材支承部に支承された棒材とフェンス体の他側面との間の間隙に圧入することで、この圧入部材が棒材とフェンス体の他側面とに圧接係止するように構成したことを特徴とする請求項２記載のフェンス連結具。
【請求項４】
前記係止部は、前記フェンス体の端部となる縁枠部の一側面から内縁までを抱き込み係止し得る形状に形成したことを特徴とする請求項１〜３のいずれか１項に記載のフェンス連結具。
【請求項５】
前記棒材支承部若しくは前記圧入部材に、この圧入部材が棒材支承部に沿って圧入するようにガイドするガイド部を設けたことを特徴とする請求項２〜４のいずれか１項に記載のフェンス連結具。
【請求項６】
前記圧入部材に、前記ガイド部としてガイド溝を形成し、このガイド溝に前記棒材支承部を嵌合させて圧入することで、この圧入部材が棒材支承部に沿って圧入するように構成したことを特徴とする請求項５記載のフェンス連結具。
【請求項７】
前記棒材支承部を板状に形成し、この板状の棒材支承部を連結する前記フェンス体の端部間の小空隙に挿通し得るように構成したことを特徴とする請求項１〜６のいずれか１項に記載のフェンス連結具。
【請求項８】
前記棒材支承部は、棒材を嵌挿状態に支承し得るＵ字状板体により構成し、このＵ字状の棒材支承部の両端部に前記係止部としての横長の板材を付設して、前記本体を構成したことを特徴とする請求項１〜７のいずれか１項に記載のフェンス連結具。
【発明の詳細な説明】
【０００１】
【発明の属する技術分野】
本発明は、フェンス同士を並設状態に連結するためのフェンス連結具に関するものである。
【０００２】
【従来の技術及び発明が解決しようとする課題】
例えば、道路工事現場や家屋建築現場などでは、作業スペースの確保や作業時の周囲への安全確保などを目的として、現場周囲にフェンスを複数並べて設置し一般人や一般車両の現場への進入を阻止する場合がある。
【０００３】
ところで、従来のこのフェンスの設置方法としては、予め現場周囲に設置用の枠を組んでおき、この枠組にフェンスを複数並設状態に立てかけ固定した上で、例えば針金やロープなどによって隣接するフェンスの端部同士を結び付けて連結している。
【０００４】
しかし、複数のフェンスを一つ一つ結び付けていくことは時間と手間を要する作業であるために非常に煩わしく、本発明者はこのフェンスの連結作業をもっと容易に行えなる方法はないかと考えていた。
【０００５】
そして、本発明者は種々試行錯誤した末、フェンス体同士を極めて容易に且つ確固に連結することができる画期的な本発明のフェンス連結具を完成させるに至った。
【０００６】
【課題を解決するための手段】
添付図面を参照して本発明の要旨を説明する。
【０００７】
連結するフェンス体１の端部間に介在させる本体２に、この連結するフェンス体１の両端部の表裏いずれか一側面にこの端部間に架設状態で当接係止する係止部３を設け、この本体２に、連結するフェンス体１の端部間に挿通してフェンス体１の前記一側面側から他側面側に突出せしめられると共に、このフェンス体１の他側面側に配した棒材４を支承保持可能な棒材支承部５を設け、この棒材支承部５に支承する棒材４と、前記係止部３とで連結するフェンス体１の両端部表裏面を挟持圧接固定し得るように構成したことを特徴とするフェンス連結具に係るものである。
【０００８】
また、連結するフェンス体１の端部間に介在するものであって、この連結するフェンス体１の両端部の表裏いずれか一側面にこの端部間に架設状態で当接係止する係止部３と，この連結するフェンス体１の端部間に挿通してフェンス体１の前記一側面側から他側面側に突出せしめられ，このフェンス体１の他側面側に配した棒材４を支承保持可能な棒材支承部５とを備えた本体２と、前記棒材支承部５に支承された棒材４とフェンス体１の他側面との間の間隙６に圧入することで棒材４とフェンス体１の他側面とに圧接係止して夫々のフェンス体１の両端部一側面を前記係止部３に圧接係止せしめる圧入部材７とから成り、前記間隙６に前記圧入部材７を圧入すると、この圧入部材７が棒材４とフェンス体１の他側面とに圧接係止して、連結するフェンス体１の両端部表裏面をこの圧入部材７と前記係止部３とで挟持圧接固定するように構成したことを特徴とするフェンス連結具に係るものである。
【０００９】
また、前記圧入部材７は楔形を呈する構成として、この楔形の圧入部材７を前記棒材支承部５に支承された棒材４とフェンス体１の他側面との間の間隙６に圧入することで、この圧入部材７が棒材４とフェンス体１の他側面とに圧接係止するように構成したことを特徴とする請求項２記載のフェンス連結具に係るものである。
【００１０】
また、前記係止部３は、前記フェンス体１の端部となる縁枠部１Ａの一側面から内縁までを抱き込み係止し得る形状に形成したことを特徴とする請求項１〜３のいずれか１項に記載のフェンス連結具に係るものである。
【００１１】
また、前記棒材支承部５若しくは前記圧入部材７に、この圧入部材７が棒材支承部５に沿って圧入するようにガイドするガイド部８を設けたことを特徴とする請求項２〜４のいずれか１項に記載のフェンス連結具に係るものである。
【００１２】
また、前記圧入部材７に、前記ガイド部８としてガイド溝８Ａを形成し、このガイド溝８Ａに前記棒材支承部５を嵌合させて圧入することで、この圧入部材７が棒材支承部５に沿って圧入するように構成したことを特徴とする請求項５記載のフェンス連結具に係るものである。
【００１３】
また、前記棒材支承部５を板状に形成し、この板状の棒材支承部５を連結する前記フェンス体１の端部間の小空隙に挿通し得るように構成したことを特徴とする請求項１〜６のいずれか１項に記載のフェンス連結具に係るものである。
【００１４】
また、前記棒材支承部５は、棒材４を嵌挿状態に支承し得るＵ字状板体により構成し、このＵ字状の棒材支承部５の両端部に前記係止部３としての横長の板材を付設して、前記本体２を構成したことを特徴とする請求項１〜７のいずれか１項に記載のフェンス連結具に係るものである。
【００１５】
【発明の実施の形態】
好適と考える本発明の実施の形態（発明をどのように実施するか）を、図面に基づいてその作用効果を示して簡単に説明する。
【００１６】
請求項１記載の発明の場合を説明する。
【００１７】
連結するフェンス体１の端部間に本発明品を介在させ、このフェンス体１の端部の表裏いずれか一側面にこの端部間に架設状態にして係止部３を係止すると共に、連結するフェンス体１の端部間に棒材支承部５を挿通させてこの棒材支承部５を前記一側面側から他側面側に突出させる。
【００１８】
そして、この棒材支承部５に単管などの棒材４を支承すると、この支承した棒材４と前記係止部３とで連結するフェンス体１の両端部表裏面を挟持圧接固定し、この挟持圧接力によりフェンス体１の両端部は連結されることになる。
【００１９】
以下、同様にしてフェンス体１を複数連結していく。
【００２０】
従って、従来のようにフェンス体を一つ一つ結び付けていくような煩わしさはなく、上記したように、単に係止部３をフェンス体１の両端部の一側面に係止させて棒材支承部５に棒材４を支承するだけでフェンス体１同士を連結することができるので、極めて連結作業性に秀れることとなり、しかも隣接するフェンス体１の両端部表裏面をこの棒材４と前記係止部３とで挟持圧接するため、この連結固定状態も極めて強固に維持されることになるなど、極めて実用性に秀れた画期的なフェンス連結具となる。
【００２１】
請求項２記載の発明の場合を説明する。
【００２２】
例えば、予め、設置箇所に設置用の枠を組んでおき、この枠組に横設された単管を棒材４として使用する。
【００２３】
先ず、この枠組にフェンス体１を近接状態にして設置し、このフェンス体１の端部の表裏いずれか一側面に本発明品の係止部３を係止すると共に、この際フェンス体１の前記一側面側から他側面側に突出する棒材支承部５に枠組に組み込まれた前記棒材４としての単管を支承する。
【００２４】
次いで、フェンス体１の隣に他のフェンス体１を設置し、この新しく設置した方のフェンス体１の端部の一側面も係止部３に係止する。
【００２５】
そして、前記棒材支承部５に支承された棒材４とフェンス体１の他側面との間に、圧入部材７を例えばハンマーで打撃することなどによって圧入すると、この圧入部材７が棒材４とフェンス体１の他側面とに圧接係止して、隣接するフェンス体１の両端部表裏面をこの圧入部材７と前記係止部３とで挟持圧接固定することにより、この挟持圧接力により隣接するフェンス体１同士が連結されることになる。
【００２６】
以下、同様にしてフェンス体１を複数連結していく。
【００２７】
従って、従来のようにフェンス体を一つ一つ結び付けていくような煩わしさはなく、上記したように、単に係止部３をフェンス体１の両端部の一側面に係止させて棒材支承部５に棒材４を支承した上、棒材４とフェンス体１の他側面との間に圧入部材７を圧入するだけでフェンス体１同士を連結することができるので、極めて連結作業性に秀れることとなり、しかも隣接するフェンス体１の両端部表裏面をこの圧入部材７と前記係止部３とで挟持圧接するため、この連結状態も極めて強固に維持されることになるなど、極めて実用性に秀れた画期的なフェンス連結具となる。
【００２８】
【実施例】
本発明の具体的な実施例について図面に基づいて説明する。
【００２９】
本実施例は、連結するフェンス体１の端部間に介在するものであって、この連結するフェンス体１の両端部の表裏いずれか一側面にこの端部間に架設状態で当接係止する係止部３と，この連結するフェンス体１の端部間に挿通してフェンス体１の前記一側面側から他側面側に突出せしめられ，このフェンス体１の他側面側に配した棒材４を支承保持可能な棒材支承部５とを備えた本体２と、前記棒材支承部５に支承された棒材４とフェンス体１の他側面との間の間隙６に圧入することで棒材４とフェンス体１の他側面とに圧接係止して夫々のフェンス体１の両端部一側面を前記係止部３に圧接係止せしめる圧入部材７とから成る構成としている。
【００３０】
本体２について具体的に説明すると、本実施例では、図１に示すように側方から見てＵ字形を呈する帯板材の両端部（上下端部）に、夫々横長形状を呈する帯板材をＵ字帯板とは直交状態にして付設して成る構成としている。
【００３１】
そして、この本体２のＵ字板部分を、棒材４を嵌挿状態にして支承し得る前記棒材支承部５とし、この棒材支承部５と直交状態に付設される横長帯板部分を、フェンス体１端部の縁枠部１Ａの表裏いずれか一側面に当接係止し得る前記係止部３としている。
【００３２】
また、本実施例の係止部３は、両端部を棒材支承部５側へ折曲させた構成とし、これにより図２，図３に示すように、係止部３をフェンス体１の縁枠部１Ａの一側面に当接係止させると、両折曲端部３Ａが前記縁枠部１Ａの内縁に巻き込むように構成し、これにより係止部３が前記フェンス体１の端部となる縁枠部１Ａの一側面から内縁までを抱き込むようにして係止し得るように構成している。
【００３３】
従って、この係止部３の折曲端部３Ａにより連結するフェンス体１の端部同士が互いに離反することを防止している。
【００３４】
従って、本実施例では、Ｕ字状の帯板に横長の帯板を付設することで本体２を構成したから、この構成は簡易に設計実現可能な構成であり、この本体２は量産性に秀れ安価に構成可能である。
【００３５】
また、圧入部材７について具体的に説明すると、本実施例では、楔形を呈する構成として、前記棒材支承部５に支承された棒材４とフェンス体１の他側面との間の間隙６にこの圧入部材７を深く圧入することで、この圧入部材７が棒材４とフェンス体１の他側面とに圧接係止するように構成している。
【００３６】
更に具体的には、圧入部材７は、一枚の略方形状の板材の対向縁部を略直角に屈曲することで断面アングル形状に形成し、更にこの対向する屈曲部の端縁をテーパ縁７Ａに形成することで図１，図２に示すような圧入先端側となる図面下側程厚みのない楔形に形成している。
【００３７】
また、この圧入部材７の圧入基端側となるテーパ縁７Ａの上方部に段差部７Ｂを設け、この段差部７Ｂがストッパーとなって圧入部材７を圧入し過ぎてしまうことを防止し、これにより圧入部材７を圧入し過ぎて前記間隙６より抜け落ちてしまうことを防止している。
【００３８】
従って、本実施例では、このように一枚の板材を加工して圧入部材７を構成したから、この構成は簡易に設計実現可能な構成であり、この圧入部材７は量産性に秀れ、安価に構成可能である。
【００３９】
また、本実施例では、この圧入部材７に、この圧入部材７が前記棒材支承部５に沿って圧入するようにガイドするガイド部８を設けている。
【００４０】
このガイド部８について具体的に説明すると、図１〜図３に示すように、圧入部材７の圧入先端側となる下縁部の略中間部分から上方へ向かってガイド溝８Ａを切欠形成し、このガイド溝８Ａに板状の前記棒材支承部５を嵌合することで、圧入部材７が棒材支承部５に沿って圧入するように構成している。
【００４１】
また、このガイド溝８Ａの上限に前記棒材支承部５が係止することが圧入部材７の圧入下動のストッパーとなり、このガイド溝８Ａと前記段差部７Ｂとで圧入部材７の圧入下動ストッパー機能が確実に発揮されるように構成している。
【００４２】
従って、このガイド部８も、板材で構成した圧入部材７に単にガイド溝８Ａを切欠形成するだけで構成できるため、簡易に設計実現可能である。
【００４３】
尚、図中符号９は本体２と圧入部材７との夫々に設けた取付孔であって、例えばこの夫々の取付孔９を利用して一本の紐１０で双方を結び付けることにより、本体２と圧入部材７とがバラバラにならないように保持できる構成としている。
【００４４】
次に、使用方法について説明する。
【００４５】
例えば、予め、設置箇所に設置用の枠を組んでおき、この枠組に横設された単管を棒材４として使用する。
【００４６】
先ず、この枠組にフェンス体１を近接状態にして設置し、このフェンス体１の端部の表裏いずれか一側面に本連結具の係止部３を係止すると共に、この際フェンス体１の前記一側面側から他側面側に突出する棒材支承部５に枠組に組み込まれた前記棒材４としての単管を支承する。
【００４７】
次いで、フェンス体１の隣に他のフェンス体１を設置し、この新しく設置した方のフェンス体１の端部の一側面も係止部３に係止する。
【００４８】
そして、前記棒材支承部５に支承された棒材４とフェンス体１の他側面との間に、楔形の圧入部材７を例えばハンマーで打撃することなどによって圧入すると、この圧入部材７が棒材４とフェンス体１の他側面とに圧接係止して隣接するフェンス体１の両端部表裏面をこの圧入部材７と前記係止部３とで挟持圧接固定し、この挟持圧接力により隣接するフェンス体１同士が連結されることになる。
【００４９】
以下、同様の作業により、図４に示すようにフェンス体１を複数連結していくことができる。
【００５０】
尚、本発明は、本実施例に限られるものではなく、各構成要件の具体的構成は適宜設計し得るものである。
【００５１】
【発明の効果】
本発明は上述のように構成したから、従来のようにフェンス体を一つ一つ結び付けていくような煩わしさはなく、単に係止部をフェンス体の両端部の一側面に係止させて棒材支承部に棒材を支承するだけでフェンス体同士を連結することができるので、極めて連結作業性に秀れることとなり、しかも隣接するフェンス体の両端部表裏面をこの棒材と前記係止部とで挟持圧接固定するため、この連結固定状態も極めて強固に維持されることになるなど、極めて実用性に秀れた画期的なフェンス連結具となる。
【００５２】
請求項２記載の発明においては上述のように構成したから、従来のようにフェンス体を一つ一つ結び付けていくような煩わしさはなく、単に係止部をフェンス体の両端部の一側面に係止させて棒材支承部に棒材を支承した上、棒材とフェンス体の他側面との間の間隙にハンマー打撃などによって圧入部材を圧入するだけでフェンス体同士を連結することができるので、極めて連結作業性に秀れることとなり、しかも隣接するフェンス体の両端部表裏面をこの圧入部材と前記係止部とで挟持圧接固定するため、この連結固定状態も極めて強固に維持されることになるなど、極めて実用性に秀れた画期的なフェンス連結具となる。
【００５３】
また、請求項３記載の発明においては、前記間隙に圧入し易く、且つ前記圧接係止作用を確実に発揮することとなる圧入部材を簡易構成にして容易に設計実現可能となる一層実用性に秀れたフェンス連結具となる。
【００５４】
また、請求項４記載の発明においては、前記棒材若しくは前記圧入部材と，前記係止部とによる挟持圧接固定時に、連結するフェンス体が互いに離反しないようにも固定保持されることになるため、このフェンス体の連結固定状態が一層強固なものとなる極めて実用性に秀れた構成のフェンス連結具となる。
【００５５】
また、請求項５記載の発明においては、ガイド部によって前記間隙に圧入部材を位置ずれしない状態で圧入することができるので、この圧入作業を極めて容易に行うことができる一層実用性に秀れたフェンス連結具となる。
【００５６】
また、請求項６記載の発明においては、前記作用効果を確実に発揮するガイド部を簡易に設計実現可能となる一層実用性に秀れたフェンス連結具となる。
【００５７】
また、請求項７記載の発明においては、フェンス体をほとんど隙間無く並べて連結することができることになる極めて実用性に秀れた構成のフェンス連結具となる。
【００５８】
また、請求項８記載の発明においては、前記係止部と前記棒材支承部とを備えた本体を簡易構成にして容易に設計実現可能となる一層実用性に秀れた構成のフェンス連結具となる。
【図面の簡単な説明】
【図１】本実施例を示す説明分解斜視図である。
【図２】本実施例の使用状態における要部拡大側断面図である。
【図３】本実施例の使用状態における要部拡大平断面図である。
【図４】本実施例の使用状態を示す説明図である。
【符号の説明】
１  フェンス体
１Ａ  縁枠部
２  本体
３  係止部
４  棒材
５  棒材支承部
６  間隙
７  圧入部材
８  ガイド部
８Ａ  ガイド溝
【図１】
0003550550.tif 000002
【図２】
0003550550.tif 000003
【図３】
0003550550.tif 000004
【図４】
0003550550.tif 000005